(57)【要約】【課題】ラベル機能と封筒機能を備えた帳票において、単片プリンタでの用紙の蛇行や詰まり等の搬送トラブルを防ぐ。【解決手段】同一サイズの上紙２１と下紙３１を重ね合わせたシート体１１に、上紙２１裏面に塗布した粘着剤２２と下紙３１表面に塗布した剥離剤３２によって剥離可能に接合したラベル部１３を設けるとともに、このラベル部１３に隣接して、上紙２１と下紙３１の周縁部の三辺を上紙２１裏面に塗布した粘着剤２２によって接合し、残りの一辺を開口してなる封筒部１４を設けることで、シート体１１の表裏いずれの面においても段差を作らず、シート体１１の全体で厚みの差を生じさせないようにする。【選択図】図２
2005329952.tif 000002
【特許請求の範囲】
【請求項１】
上紙と下紙の二枚の用紙を重ね合わせたシート体に、上紙と下紙の用紙間を一方の用紙に塗布した粘着剤と他方の用紙に塗布した剥離剤によって剥離可能に接合してなるラベル部が設けられるとともに、このラベル部に隣接して、上紙と下紙における周縁部の三辺を一方の用紙に塗布した粘着剤によって接合し、かつ残りの一辺を開口してなる封筒部が設けられていることを特徴とする複合帳票。
【請求項２】
上紙、中紙、及び下紙の三枚の用紙を重ね合わせたシート体に、上紙と中紙の用紙間を一方の用紙に塗布した粘着剤と他方の用紙に塗布した剥離剤によって剥離可能に接合してなるラベル部が設けられるとともに、中紙と下紙における周縁部の三辺を一方の用紙に塗布した粘着剤によって接合し、かつ残りの一辺を開口してなる封筒部が設けられていることを特徴とする複合帳票。
【請求項３】
上記ラベル部を剥離して上記封筒部に内封する物品に貼付する機能を備えたことを特徴とする請求項１または２に記載の複合帳票。
【請求項４】
上記シート体の表面、裏面、あるいはその両面を単片プリンタで印刷可能としたことを特徴とする請求項１または２に記載の複合帳票。
【請求項５】
上記封筒部の開口した一辺が、一方の用紙に塗布した粘着剤と、他方の用紙に塗布した剥離剤によって剥離可能に接合されるとともに、剥離剤を塗布した方の用紙の接合部分が用紙から切り離し可能に設けられていることを特徴とする請求項１乃至４のいずれか１項に記載の複合帳票。
【請求項６】
上記用紙のうち少なくとも一枚が、合成樹脂フィルムで構成されていることを特徴とする請求項１乃至５のいずれか１項に記載の複合帳票。
【請求項７】
上記ラベル部は検便等の検査試料を入れた容器に貼付するラベルであり、上記封筒部はその容器を内封して送付、提出、保管する封筒であることを特徴とする請求項１乃至６のいずれか１項に記載の複合帳票。
【発明の詳細な説明】
【技術分野】
【０００１】
本発明は、ラベル機能と封筒機能を備えるとともに、単片プリンタで印刷可能な複合帳票に関する。
【背景技術】
【０００２】
従来、医療や研究の分野において、各種検査や調査で用いる試料あるいはサンプルの送付、提出、並びに保管は、紛失の防止と取り扱い易さを考慮して、袋内に入れてその表面に内容物の情報を表示することが行われている。主に情報の表示は、袋の表に直接手書きで記載したり、ラベルにまとめて印刷してそれを袋に貼り付けたりしているが、いずれにしても袋に表示した情報と、袋に入れる内容物とが正確に一致しているかどうかを照合しながら封入作業を行わなければならない。また、封入しても一度袋から取り出してしまうと、袋の中の内容物と袋に記載した情報とが不一致になる可能性があるので、内容物である試料やサンプル自体にも表示がされていることが好ましい。
【０００３】
そこで、このような場合には、試料やサンプルを収容した容器に情報を表示するための貼付ラベルと、その容器を封入する袋を一体化して同時にプリンタで印字できるようにすれば、両者の情報の一致が確実なものとなる。こうした用途を考慮して、袋と貼付ラベルを一体化した複合帳票が各種提案されている。
【０００４】
たとえば、図９に示すものは、用紙を貼り合わせて封筒を形成し、その封筒の表側にラベルを設けたものである。この帳票は、上紙１と下紙２の周縁部の三辺を接着剤３で貼り合わせ、残りの一辺を接着せずに封入口４を形成した封筒を備えている。封入口４の横には、折り曲げ線１ａを境にして、上紙１に塗布した粘着剤５を剥離紙片６で被覆した封緘部が連接されている。また、封筒の中には粘着剤５で中紙７が貼り合わされており、中紙７に塗布した剥離剤８によって、上紙１に設定された複数のラベル片９，…を剥がせるようになっている。
【０００５】
ところが、同帳票の場合、製作過程において、上紙１と中紙７を貼合する工程、上紙１と剥離紙片６を貼合する工程、上紙１と下紙２を貼合する工程、そしてラベル片９，…の輪郭をカットする工程といった具合に、使用する材料や加工工程が多く、製作コストが嵩んでしまう。しかも、上紙１と下紙２が共に連続用紙で構成され、用紙の送り孔にトラクタピンを嵌めて搬送する連続プリンタで印字を行うので、その印字速度が遅いことも欠点の一つである。
【０００６】
一方、封筒とラベルを一体化した複合帳票として、特許文献１にはラベルシート付き袋体が開示されている。この帳票は、表紙と裏紙の周縁部の三辺を接着剤で貼り合わせ、残りの一辺を接着せずに封入口を形成した袋体を備えており、袋体を構成する裏紙にミシン目を境にしてラベルシートを連接した構造になっている。また、ラベルシートは裏紙に塗布された粘着剤を剥離紙で被覆してなり、その裏紙にスリットを設けて複数のラベル片が区画形成されている。
【０００７】
ところで、近年では作業現場に近い場所で、スペースを取らない卓上タイプの高速プリンタで印刷したいという要望が多く、単片プリンタが使われる機会が増えている。この単片プリンタでは、厚みの異なる構造の帳票は適しておらず、均一な厚みの帳票が適している。しかしながら、特許文献１の帳票の場合、ラベルシートの部分は裏紙と剥離紙を積層した構造であるのに対し、袋体の部分ではその上にさらに表紙を貼り合わせてあり、両部分で厚みが異なる構造であるため、単片プリンタを使用すると走行上のトラブルを引き起こし易い。
【０００８】
すなわち、単片プリンタは連続プリンタのようにトラクタピンで用紙を搬送するのではなく、一対のローラで用紙を挟んだ状態で走行させるので、用紙の長手方向や幅方向で紙厚が違うと用紙が蛇行してしまい、安定した走行性に支障を来たす恐れがある。一方、図９の帳票のように、封緘部に剥離紙片を貼着した状態のままでは、搬送中にローラの摩擦で剥離紙片が剥がれてしまい、剥がれた紙片がローラに巻き付いて紙詰まりを起こすというトラブルに繋がり易い。
【０００９】
【特許文献１】特開２００４−５９１０８号公報（図２参照）
【発明の開示】
【発明が解決しようとする課題】
【００１０】
本発明は、このような事情に鑑みてなされたもので、その解決しようとする課題は、帳票内にラベル部と封筒部を一体化した複合帳票であって、単片プリンタでの印刷時に用紙の蛇行や紙詰まりを無くし、円滑な搬送を可能とする複合帳票を提供することにある。
【課題を解決するための手段】
【００１１】
このような課題を解決するため、本発明は、上紙と下紙の二枚の用紙を重ね合わせたシート体に、上紙と下紙の用紙間を一方の用紙に塗布した粘着剤と他方の用紙に塗布した剥離剤によって剥離可能に接合してなるラベル部が設けられるとともに、このラベル部に隣接して、上紙と下紙における周縁部の三辺を一方の用紙に塗布した粘着剤によって接合し、かつ残りの一辺を開口してなる封筒部が設けられていることを特徴とする複合帳票を提供するものである。
【００１２】
同様な課題を解決するため、本発明は、上紙、中紙、及び下紙の三枚の用紙を重ね合わせたシート体に、上紙と中紙の用紙間を一方の用紙に塗布した粘着剤と他方の用紙に塗布した剥離剤によって剥離可能に接合してなるラベル部が設けられるとともに、中紙と下紙における周縁部の三辺を一方の用紙に塗布した粘着剤によって接合し、かつ残りの一辺を開口してなる封筒部が設けられていることを特徴とする複合帳票を提供するものである。
【００１３】
上述の発明によると、いずれも用紙を貼り合わせた構造であり、しかも貼り合わせるための粘着剤も用紙の周縁部にそれぞれ均一に塗布された構造であるから、用紙の長手方向及び幅方向において紙厚の差が生じない。また、最良の形態としては、上紙と下紙の二枚の用紙、あるいは上紙、中紙、及び下紙の三枚の用紙がそれぞれ同一サイズであることが好ましい。このような構成によると、単片プリンタでの印刷時に、段差による用紙の蛇行や、貼着した紙片の剥落による紙詰まり等の搬送トラブルが発生せず、円滑な印刷作業を行うことが可能になる。
【００１４】
ここで、この複合帳票にあっては、上記ラベル部を剥離して上記封筒部に内封する物品に貼付する機能を備えたものや、上記シート体の表面、裏面、あるいはその両面を単片プリンタで印刷可能としたものであることがその活用上好ましい。
【００１５】
また、上記封筒部の開口した一辺を、一方の用紙に塗布した粘着剤と、他方の用紙に塗布した剥離剤によって剥離可能に接合するとともに、剥離剤を塗布した方の用紙の接合部分を用紙から切り離し可能に設ける構造を採用することもできる。この構造によると、封筒内に物品を入れた後に、粘着剤を塗布した用紙で封入口を閉じることができるので、物品が封筒から飛び出たりすることを確実に防止できる。
【００１６】
上記用紙のうち少なくとも一枚を、合成樹脂フィルムで構成しても良い。この場合、封筒部に耐水性等の各種耐性を持たせることができるとともに、透明なフィルムを採用すれば、封筒内に入れた物品を外から確認することができ、一段と利便性が向上する。
【００１７】
なお、上述したような構造からなる複合帳票の具体的な用途として、上記ラベル部は検便等の検査試料を入れた容器に貼付するラベルとして利用し、上記封筒部はその容器を内封して送付、提出、保管する封筒として利用することが考えられる。
【発明の効果】
【００１８】
本発明に係る複合帳票によれば、ラベル部と封筒部が一体化されており、物品に貼り付けるラベル片に表示する情報と、その物品を入れる封筒に表示する情報を同時に印刷できるため、両者の情報の一致が確実なものとなる。また、単片プリンタを利用して安定した走行を維持しながら印刷できるので、作業現場に近い場所で高速に印刷作業を行うことが可能になるとともに、単片プリンタで使用するＡ４版やＢ５版等の規定サイズの用紙内に複数の帳票を面付けすれば一度にまとめて印刷することも可能である。さらに、封筒内に物品を入れた後に、粘着機能を持つ封緘部で封入口を封じることができるので、物品が封筒から飛び出たりすることを確実に防止できる。
【発明を実施するための最良の形態】
【００１９】
以下、本発明の実施形態について、添付図面を参照して詳細に説明する。
【００２０】
図１から図４までの図面は第一実施形態の複合帳票を示したものである。本実施形態では、検便用の容器Ｃに貼り付けるラベルと、この容器Ｃを収容するための封筒を一体化した帳票に適用した例を挙げて説明する。図示した複合帳票Ｐは、単片プリンタでの印刷を考慮して、Ａ４版サイズの上質紙からなる上紙２１と、同じくＡ４版サイズの上質紙からなる下紙３１の二枚の用紙を重ね合わせたシート体１１で構成されている。また、一度にまとめて印刷するため、シート体１１の長手方向に沿って複数の帳票Ｐ１，Ｐ２，…，Ｐ５が区画形成されており、シート体１１の表裏面を貫通するミシン目１２等の切り取り線を切断することで各帳票単位に分割できるようになっている。各々の帳票Ｐ１，…にはラベル部１３と封筒部１４が隣接して設けられている。
【００２１】
図３に詳しく示した通り、ラベル部１３において、上紙２１の裏面には粘着剤２２が全面塗布されており、その略中央部分にラベル片２３の輪郭を切り取るためのスリット２４が形成されている。スリット２４は、上紙２１のみを貫通するように加工したハーフカットである。これと対向する下紙３１の表面には、ラベル片２３よりも一回り大きな領域に剥離剤３２が塗布されている。そして、図２に示したように、上紙２１と下紙３１を貼り合わせると、ラベル片２３の設定箇所では、上紙２１裏面の粘着剤２２と下紙３１表面の剥離剤３２が接触して剥離可能に接合され、ラベル片２３の周囲では、上紙２１裏面の粘着剤２２によって上紙２１と下紙３１が剥離不能に接合された構造になる。
【００２２】
一方、封筒部１４において、上紙２１の裏面には周縁部の三辺に沿って粘着剤２２が塗布されており、これと対向する下紙３１の周縁部と剥離不能に接合された構造になっている。周縁部の残りの一辺は両用紙２１，３１を接合せずに開口した封入口３３とされ、ここに封緘部が形成される。この封緘部は、上紙２１裏面の残り一辺に沿って粘着剤２２を塗布した封緘片２５と、これと対向する下紙３１表面に剥離剤３２を塗布した剥離片３５とを剥離可能に接合したものである。なお、封緘部の境界線には帳票Ｐ本体から剥離片３５のみを切り離すためのスリット３４が形成されている。
【００２３】
続いて、本実施形態の使用方法を説明する。
【００２４】
まずは、図４ａに示すように、ラベル部１３にあるラベル片２３を剥がす。ラベル片２３は上紙２１裏面の粘着剤２２と下紙３１表面の剥離剤３２によって接合されているので、帳票Ｐ本体から簡単に剥がすことができる。
【００２５】
次に、図４ｂに示すように、検便を採集した容器Ｃにラベル片２３を貼り付けるとともに、ラベル片２３が貼付された容器Ｃを封入口３３から封筒部１４内に挿入する。このとき、封入口３３は下紙３１に形成されたスリット３４によって開口しているので、そこから容器Ｃを封筒内に入れることができる。また、封筒部１４内は上紙２１と下紙３１の周縁部の三辺が粘着剤２２によって接合されているので、容器Ｃが脱落することはない。
【００２６】
さらに、図４ｃに示すように、容器Ｃを封筒内に入れた後に、封筒部１４にある剥離片３５を剥がす。上紙２１と下紙３１の用紙間は上紙２１裏面の粘着剤２２と下紙３１表面の剥離剤３２によって剥離可能に接合されており、よって剥離片３５は上紙２１と下紙３１の接合面Ｐ１を介して剥離される。
【００２７】
最後に、図４ｄに示すように、剥離片３５を剥がした後に、封緘片２５を外側に折り曲げて封筒部１４の封入口３３を封緘する。ここで、封緘片２５の裏面には粘着剤２２が露出しているので、この粘着剤２２で下紙３１に貼り付けることにより封入口３３が閉じられる。そして、容器Ｃを収容した封筒を保健所等の各種検査機関に提出する。
【００２８】
このように、本実施形態の複合帳票Ｐは、一つの帳票内にラベル機能と封筒機能を備えており、ラベル部１３と封筒部１４に対して同時印刷が可能となり、情報の確実な一致が図れる。また、同一サイズの二枚の用紙を貼り合わせた構造であり、シート体１１の長手方向と幅方向で厚みの差が生じずほぼ均一な厚みとなるため、単片プリンタでの印刷時に用紙の蛇行を起こすことがなくなり、円滑な搬送が可能となる。しかも、完成した帳票Ｐの表裏面、すなわち上紙２１表面と下紙３１裏面のいずれの面においても別紙片の貼り合わせ構造を採用していないため、貼り合わせた紙片の剥落もなく、紙片がローラに巻き付いて紙詰まりを起こすといったトラブルを未然に回避することができる。
【００２９】
図５から図８までの図面は第二実施形態の複合帳票を示したものである。図示したように、本実施形態の複合帳票Ｐは、いずれもＡ４版サイズの上紙５１、中紙６１、及び下紙７１の三枚の用紙を重ね合わせたシート体４１で構成されている。また、シート体４１の長手方向及び幅方向に沿って複数の帳票Ｐ１，Ｐ２，…，Ｐ１２が区画形成されており、シート体４１の表裏面を貫通するミシン目４２等の切り取り線を切断することで各帳票単位に分割できるようになっている。各々の帳票Ｐ１，…には、シート体４１の表面側にラベル部４３が設けられ、シート体４１の裏面側に封筒部４４が設けられている。
【００３０】
本実施形態では、ラベル部４３が設定される上紙５１と中紙６１の上層の用紙二枚をタック紙で構成している。すなわち、上紙５１の裏面には粘着剤５２が全面塗布され、これと対向する中紙６１の表面に剥離剤６２が全面塗布されて、両用紙が剥離可能に接合されている。また、上紙５１にはラベル片５３が設定され、ラベル片５３を切り離すためのスリット５４が形成されている。スリット５４は、上紙５１表面から下紙６１の剥離剤６２表面まで到達するハーフカットである。
【００３１】
一方、封筒部４４は中紙６１と下紙７１の下層の用紙二枚で構成されている。封筒部４４において、中紙６１の裏面には周縁部の三辺に沿って粘着剤６３が塗布されており、これと対向する下紙７１の表面と剥離可能に接合された構造になっている。周縁部の残りの一辺は両用紙６１，７１を接合せずに開口した封入口６４とされ、ここに封緘部が形成される。この封緘部は、中紙６１裏面の残り一辺に沿って粘着剤６３を塗布した剥離片６５と、下紙７１表面の剥離片７５を接合し、両者をスリット６６と７６で切り離し、粘着剤５２が塗布されている上紙５１を封緘片５５としたものである。なお、スリット６６と７６は、中紙６１と下紙７１を貼り合わせた後に、下紙７１の裏面から中紙６１の表面まで到達するハーフカットを施すことで形成できる。
【００３２】
続いて、第二実施形態の使用方法を説明する。
【００３３】
まずは、図８ａに示すように、ラベル部４３にあるラベル片５３を剥がす。ラベル片５３は上紙５１裏面の粘着剤５２と中紙６１表面の剥離剤６２によって接合されているので、帳票Ｐ本体から簡単に剥がすことができる。
【００３４】
次に、図８ｂに示すように、検便を採集した容器Ｃにラベル片５３を貼り付けるとともに、ラベル片５３を貼り付けた容器Ｃを封入口６４から封筒部４４内に挿入する。このとき、封入口６４は下紙７１に形成されたスリット７６によって開口しているので、そこから容器Ｃを封筒内に入れることができる。また、封筒部４４内は中紙６１と下紙７１の周縁部の三辺が粘着剤６３によって接合されているので、容器Ｃが脱落することはない。
【００３５】
さらに、図８ｃに示すように、容器Ｃを封筒内に入れた後に、封筒部４４にある剥離片６５と７５を剥がす。下紙７１と中紙６１の用紙間は中紙６１裏面の粘着剤６３によって接合され、かつ上紙５１と中紙６１の用紙間は上紙５１裏面の粘着剤５２と中紙６１表面の剥離剤６２によって剥離可能に接合されているので、剥離片６５と７５は上紙５１と中紙６１の接合面Ｐ２を介して剥離される。
【００３６】
最後に、図８ｄに示すように、剥離片６５と７５を剥がした後に、封緘片５５を外側に折り曲げて封筒部４４の封入口６４を封緘する。ここで、封緘片５５の裏面には粘着剤５２が露出しているので、この粘着剤５２で下紙６１に貼り付けることにより封入口６４が閉じられる。そして、容器Ｃを収容した封筒を保健所等の各種検査機関に提出する。
【００３７】
このように、第二実施形態の複合帳票Ｐは、一つの帳票内にラベル機能と封筒機能を備えるとともに、同一サイズの三枚の用紙を貼り合わせた構造を採用することでシート体４１の長手方向と幅方向で厚みがほぼ均一となり、上述したような単片プリンタでの印刷時のトラブルを防止することができる。さらに、本実施形態では、ラベル部４３と封筒部４４をシート体４１の表裏面に別々に設定しているため、ラベル部４３と封筒部４４のサイズが互いに制約を受けることなく、自由に設計することが可能になる。そのため、ラベル部４３と封筒部４４のサイズをＡ４版やＢ５版等の規定サイズの用紙中で最大限大きく確保することができ、封筒部４４に封入する容器Ｃが大きい場合や、その容器Ｃに大きなラベル片５３を貼り付けたい場合等に好適である。
【００３８】
なお、上述した各実施形態において、たとえば、用紙のうち少なくとも一枚を合成樹脂フィルムで構成することも可能である。この場合、封筒部に耐水性等の各種耐性を持たせることができるという利点がある。また、透明なフィルムであれば、封筒内に入れた物品を外から確認することができ、一段と利便性が向上する。
【図面の簡単な説明】
【００３９】
【図１】第一実施形態の複合帳票における（ａ）表側平面図、（ｂ）裏側平面図。
【図２】図１に示すII−II線断面図。
【図３】（ａ）上紙の裏側平面図、（ｂ）下紙の表側平面図。
【図４】第一実施形態の使用方法を示す説明図。
【図５】第二実施形態の複合帳票における（ａ）表側平面図、（ｂ）裏側平面図。
【図６】図５に示すVI−VI線断面図。
【図７】（ａ）上紙の裏側平面図、（ｂ）中紙の表側平面図、（ｃ）中紙の裏側平面図、（ｄ）下紙の表側平面図。
【図８】第二実施形態の使用方法を示す説明図。
【図９】従来の複合帳票における（ａ）表側平面図、（ｂ）裏側平面図、（ｃ）IX−IX線断面図。
【符号の説明】
【００４０】
Ｐ  複合帳票
１１    シート体
１２  ミシン目
１３  ラベル部
１４  封筒部
２１  上紙
２２  粘着剤
２３  ラベル片
２４  スリット
２５  封緘片
３１  下紙
３２  剥離剤
３３  封入口
３４  スリット
３５  剥離片
４１  シート体
４２  ミシン目
４３  ラベル部
４４  封筒部
５１  上紙
５２  粘着剤
５３  ラベル片
５４  スリット
５５  封緘片
６１  中紙
６２  剥離剤
６３  粘着剤
６４  封入口
６５  剥離片
６６  スリット
７１  下紙
７５  剥離片
７６  スリット
Ｃ  容器
Ｐ１  上紙と下紙の接合面
Ｐ２  上紙と中紙の接合面
【図１】
2005329952.tif 000003
【図２】
2005329952.tif 000004
【図３】
2005329952.tif 000005
【図４】
2005329952.tif 000006
【図５】
2005329952.tif 000007
【図６】
2005329952.tif 000008
【図７】
2005329952.tif 000009
【図８】
2005329952.tif 000010
【図９】
2005329952.tif 000011